(57)【要約】  【課題】安価で強度に優れる包装緩衝体及び包装装置を提供する。  【解決手段】包装緩衝体１は、折曲げられて形成される複数の主体面２と、主体面２に折曲げ部を介して連接し、相互間に切欠き部６が形成された第一の支持面３と、第一の支持面３に折曲げ部を介して連接された台座面４と、台座面４に折曲げ部を介して連接された第二の支持面５とを有し、第一の支持面３、台座面４及び第二の支持面５の各面が内側に折曲げられて、第二の支持面５の先端部５ｂが主体面２と第一の支持面３の折曲げ部に対向する。製作容易で、安価かつ強度に優れる包装緩衝体及び包装装置を提供できる。  【選択図】  図１
2006219163.tif 000002
【特許請求の範囲】
【請求項１】
折曲げられて形成される複数の主体面と；
主体面に折曲げ部を介して連接し、相互間に切欠き部が形成された第一の支持面と；
第一の支持面に折曲げ部を介して連接された台座面と；
台座面に折曲げ部を介して連接された第二の支持面と；
を有し、前記第一の支持面、台座面及び第二の支持面の各面が内側に折曲げられて、第二の支持面の先端部が主体面と第一の支持面の折曲げ部に対向することを特徴とする包装緩衝体。
【請求項２】
包装箱と；
包装箱に収納される請求項１記載の包装緩衝体と；
包装緩衝体に支持される被包装体と；
を具備することを特徴とする包装装置。
【請求項３】
被包装体が照明器具であることを特徴とする請求項２記載の包装装置。
【発明の詳細な説明】
【技術分野】
【０００１】
本発明は、照明器具等の包装に用いられる包装緩衝体及び包装装置に関する。
【背景技術】
【０００２】
従来、商品を包装する場合、物流時の衝撃から商品を保護するため、商品とその商品が収納された包装箱との間に生じる隙間を埋める緩衝材が用いられている。この緩衝材は、商品の形状や重量に応じて様々な形状、構造が採られる。また、緩衝材を安価なものとするため特許文献１及び特許文献２に示すように、包装箱に切込みを形成し、これを内側に突出させて押え片とし、緩衝材の機能を果すものもある。さらに、図６に示されるように重量物である商品を支持するため、所定形状の段ボールを数枚接着により重ね合わせ、所定の厚みをもたせて、緩衝材６１を構成したものもある。これは、包装箱６２に緩衝材基板６３を収納配置し、その後、商品を収納し、緩衝材蓋体６４で覆うもので、緩衝材基板６３及び緩衝材蓋体６４にはそれぞれ前記緩衝材６１が貼付けられている。このものは緩衝材６１の厚み部分で重量物である商品を支持するものである。
【特許文献１】特開２００１−３４１７３１号公報
【特許文献２】特開２００３−３４１７３３号公報
【発明の開示】
【発明が解決しようとする課題】
【０００３】
しかしながら、これら従来のものは、コスト及び、商品が重量物である場合の強度の点において満足できるものではなかった。
【０００４】
そこで本発明は、上記不都合を解消し、安価で強度に優れる包装緩衝体及び包装装置を提供することを目的とする。
【課題を解決するための手段】
【０００５】
請求項１の発明の包装緩衝体は、折曲げられて形成される複数の主体面と、主体面に折曲げ部を介して連接し、相互間に切欠き部が形成された第一の支持面と、第一の支持面に折曲げ部を介して連接された台座面と、台座面に折曲げ部を介して連接された第二の支持面とを有し、前記第一の支持面、台座面及び第二の支持面の各面が内側に折曲げられて、第二の支持面の先端部が主体面と第一の支持面の折曲げ部に対向することを特徴とするものである。
【０００６】
請求項２の発明の包装装置は、包装箱と、包装箱に収納される包装緩衝体と、包装緩衝体に支持される被包装体とを具備することを特徴とするものである。
【０００７】
請求項３の発明の包装装置は、包装緩衝体に支持される被包装体が照明器具であることを特徴とするものである。
【０００８】
各発明において、特に指定しない限り用語の定義及び技術的意味は次による。
【０００９】
包装緩衝体は、複数の主体面、第一の支持面、台座面及び第二の支持面が連接していればよく、各面は４面に限らず、３面であっても５面であってもよい。
【００１０】
第二の支持面の先端部が主体面と第一の支持面の折曲げ部に対向するとは、第二の支持面の先端部が主体面と第一の支持面の折曲げ部に当接する場合及び当接はしないが近接している場合を含む。
【００１１】
請求項２の発明における被包装体は、照明器具に限定されず、電気器具、動力機械、家具、日用雑貨品等であってもよい。
【発明の効果】
【００１２】
請求項１乃至請求項３の発明によれば、包装緩衝体は、複数の主体面、第一の支持面、台座面及び第二の支持面を連接し、各面を内側に折曲げて構成したので、製作容易で、安価かつ強度に優れる包装緩衝体を提供することができ、ひいては、安価で信頼性の高い包装装置を提供することができる。
【発明を実施するための最良の形態】
【００１３】
本発明の包装緩衝体及び包装装置を図を参照して説明する。なお、これらの図中、同一又は相当部分には同一符号を付し、重複した説明の記載は省略する。
【００１４】
図１乃至図４は本発明の第１の実施形態である包装緩衝体及び包装装置を示し、図1は包装緩衝体の展開図、図２は包装緩衝体の斜視図、図３は被包装体としての照明器具を示す正面図、図４は包装装置において、包装箱及び包装緩衝体を断面して示す正面図である。
【００１５】
図１において、包装緩衝体１は、一枚の板状体であり、例えば、段ボール材で構成されている。この包装緩衝体１は、長方形の主体面２が４面相互に折曲げ部２ｂを介して連接されており、さらに、主体面２の一方側には、第一の支持面３、台座面４及び第二の支持面５がそれぞれ折曲げ部２ｂ、３ｂ、４ｂを介して連接されている。第一の支持面３と第二の支持面５との長手方向の寸法は、第二の支持面５の方が第一の支持面３に比し若干長く形成されている。また、第二の支持面５相互は主体面２と同様に折曲げ部５ａを介して連接されている。ここで、各第一の支持面３と、これに連接する台座面４相互の間には切欠き部６が形成されている。この切欠き部６は、包装緩衝体１が組立てられたときに、隣接する各台座面４同士及び第一の支持面３同士が衝突し、干渉するのを回避する働きをなすものである。なお、主体面２の他方側には折曲げ部２ｃを介して２つの保護面７が設けられている。
【００１６】
次に、図１の包装緩衝体１の展開状態から図２の組立て工程について説明する。主体面２と第一の支持面３の折曲げ部２ｂ、第一の支持面３と台座面４の折曲げ部３ｂ、台座面４と第二の支持面５との折曲げ部４ｂを順次内側（紙面後方側）に折曲げ、保護面７も内側に折曲げる。その後、各主体面２及び各第二の支持面５相互の折曲げ部２ａ、５ａに沿い折曲げる。すると図２に示す状態に組立てられ、第一の支持面３が立上り支持面となり、第二の支持面５が立下り支持面となり、これら両支持面３、５間には後述する被包装体が支持される台座面４が形成される。そして、第二の支持面５の先端部５ｂが主体面２と第一の支持面３との折曲げ部２ｂに当接する。また、第二の支持面５の方が第一の支持面３に比し若干長く形成されているため、台座面４は内側に向かって傾斜した状態となる。
【００１７】
図３は被包装体の一例として照明器具１０を示す。ここで示す被包装体としての照明器具１０は、安定器本体１１とランプホルダー１２から構成される。安定器本体１１は、電源ボックス１３と安定器が収納された安定器収納部１４とからなり、この安定器本体１１には円筒状のランプソケット１５を有するランプホルダー１２が接続部１６を介して接続さている。この照明器具１０は全長約４０ｃｍ〜６０ｃｍであり、全重量は５〜６ｋｇであるが、その構成からランプホルダー１２に比し、安定器本体１１がかなりの重量を占めている。この照明器具１０の使用にあたっては、図中破線で示すように所望の反射笠１７が選択され、ランプホルダー１２下部に取付ねじによって取付けられ、さらに、水銀ランプ等の所望のＨＩＤランプ１８がソケット１５に装着され、照明器具完成品として構成される。このように、反射笠１７、ランプ１８は、使用場所に適合させるべく、使用者の選択に委ねられるため、前記照明器具１０とは、通常別売、つまり、別梱包となる。さらに、この種照明器具１０の製造工程において、電気的、熱的絶縁のため安定器収納部１４に安定器収納部１４上部から樹脂を流し込み、充填するが、この樹脂が硬化し、安定するまでに約１日〜２日間要する。したがって、樹脂が安定器収納部１４から流出するのを防止するため、樹脂が硬化するまで照明器具１０を傾けないで縦置きの状態で保管することが必要となる。
【００１８】
次に、図４において、包装緩衝体１を包装箱８に収納し、さらに照明器具１０を収納した包装装置を示す。包装箱８は、直方体の形状をなし、包装緩衝体１の主体面２は、包装箱８の内側面に沿い収納されている。この状態で、安定器収納部１４に充填された樹脂が未硬化である照明器具１０を包装緩衝体１にセットする。安定器本体１１の下部は、台座面４に支持される一方、ランプホルダー１２下部は包装箱８下面に当接せず浮いた状態、つまり、中ぶらりんの状態になる。これは、照明器具１０を縦置きにする必要性があるとともに、安定器本体１１は、ランプホルダー１２に比し重量物であるため、ランプホルダー１２を中ぶらりんの状態にせず、安定器本体１１の重量をランプホルダー１２で受けてしまうようにすると、強度的に弱い安定器本体１１とランプホルダー１２との接続部１６やランプホルダー１２の破損につながるからである。
【００１９】
したがって、本実施形態では、照明器具１０と包装緩衝体１との寸法関係において、安定器本体１１が台座面４で支持され、ランプホルダー１２が中ぶらりんとなるよう設定されている。
【００２０】
本実施形態によれば、包装緩衝体１は、一枚の連接した段ボール材で構成しているので、切欠き部６等形成する打抜き加工だけで製作することができ、製作容易で安価なものとなる。
【００２１】
また、包装緩衝体１を包装箱８に収納し、照明器具１０をセットし、包装箱８を封印した状態では、台座面４は４面で安定器本体１１を支持し、重量を受け、台座面４と第一の支持面３とがなす突出部、すなわち、折曲げ部３ｂが安定器本体１１とランプホルダー１２との接続部１６を支持するので、外部衝撃を吸収、緩和し、安定して照明器具１０を包装箱８に収納できる。
【００２２】
さらに、第二の支持面５の先端部５ｂが主体面２と第一の支持面３との折曲げ部２ｂに当接しているので重量物である安定器本体１１の重量を受けるに際し、包装緩衝体１の強度を保つことができる。
【００２３】
また、照明器具１０の製造工程において、安定器収納部１４に上から樹脂を充填するが、この樹脂が硬化するまで、照明器具１０を包装箱８に縦置きの状態で安定して支持することができ、未硬化の樹脂が安定器収納部１４から流出することがない。
【００２４】
さらにまた、安定器本体１１の台座面４での支持においては、台座面４が傾斜面をなしているので、重量物である安定器本体１１の荷重が分散され、集中することなく、包装緩衝体１を構成するに際し、強度的に有利である。
【００２５】
加えて、包装緩衝体１は、第一の支持面３相互間には切欠き部６が形成されている一方、第二の支持面５相互間は切欠き部がなく連接しているので、この点においても照明器具１０を支持するに強度的に有利である。
【００２６】
次に、本実施形態においては、第二の支持面の先端部５ｂが折曲げ部２ｂに当接する場合について説明したが、当接せずに、先端部が折曲げ部に近接している場合であってもよい。この場合は、当初先端部が折曲げ部に当接していないが、被包装体を包装緩衝体にセットしたときに、その重量で台座面、第一の支持面が撓み、初めて当接するようにしたもの、又は被包装体の重量によっては、被包装体を包装緩衝体にセットした場合でも先端部が折曲げ部に当接せずに、近接状態のままであってもよい。この近接状態のままである場合には、何らかの衝撃が外部から加わったときに第二の支持面の先端部が折曲げ部に当接する可能性があるゆえ、強度的信頼性を確保しているということができる。
【００２７】
また、切欠き部は、包装緩衝体の組立てに際し、隣接する各台座面同士及び第一の支持面同士が衝突し、干渉するのを回避する働きをなすものであるが、これは完全に干渉を回避する場合を含むが、完全な回避ではなくても、組立てに支障がない程度の干渉回避で足りる。
【００２８】
図５は、本発明の第２の実施形態である包装緩衝体１及び包装装置を一部断面して示す正面図である。本実施形態においては、台座面４をほぼ水平に構成し、この台座面４で安定器本体１１の下部を支持するようにしたものである。第一の支持面３と第二の支持面５との寸法を適宜調整することにより構成することができる。本実施形態によっても所期の目的を達成することが可能となる。
【図面の簡単な説明】
【００２９】
【図１】本発明の第１の実施形態の包装緩衝体の展開図
【図２】同包装緩衝体の斜視図
【図３】同被包装体の正面図
【図４】同包装装置を一部断面して示す正面
【図５】本発明の第２の実施形態の包装装置を一部断面して示す正面図
【図６】本発明の従来例を示す斜視図
【符号の説明】
【００３０】
１…包装緩衝体  ２…主体面  ３…第一の支持面  ４…台座面  ５…第二の支持面
６…切欠き部
【図１】
2006219163.tif 000003
【図２】
2006219163.tif 000004
【図３】
2006219163.tif 000005
【図４】
2006219163.tif 000006
【図５】
2006219163.tif 000007
【図６】
2006219163.tif 000008